(57)【特許請求の範囲】
【請求項１】
装着者の歯ぎしりを防止する歯ぎしり防止具であって、
前記装着者の口に咥えられる棒状の基部と、
前記基部を前記装着者の口元に保持する保持部と
を備え、
前記基部は、ロール状に巻かれたシート部材を有する
ことを特徴とする歯ぎしり防止具。
【請求項２】
前記基部は、前記シート部材を巻き付ける棒状の芯部
を備えることを特徴とする請求項１記載の歯ぎしり防止具。
【請求項３】
前記保持部は、
前記基部の両端に設けられ且つ前記装着者の耳に掛けるためのループ状の耳掛け、又は
前記基部の両端に設けられ且つ前記装着者の後頭部にまわすための紐にて構成されている
ことを特徴とする請求項１又は請求項２記載の歯ぎしり防止具。
【請求項４】
前記保持部は、
前記基部及び前記装着者の口元を覆うマスク部にて構成され、
前記マスク部は、
前記基部を取り付けたマスク本体と、
前記マスク本体に設けられ前記装着者の耳に掛けるためのループ状の耳掛けとを備える
ことを特徴とする請求項１又は請求項２記載の歯ぎしり防止具。
【発明の詳細な説明】
【技術分野】
【０００１】
本発明は、装着者の歯ぎしりを防止する歯ぎしり防止具に関する。
【背景技術】
【０００２】
従来、睡眠時における「歯ぎしり」の症状に悩む者がいる。「歯ぎしり」は、周囲に眠る者にとって、その睡眠を邪魔する行為である。また、「歯ぎしり」は、本人にとって、顎関節への異常な負荷がかかることにより、体に悪影響をもたらすおそれがある行為である。
【０００３】
上記のような歯ぎしりを防止する消音マスクが、特許文献１に記載されている。特許文献１において、その消音マスクは、装着者の口元を覆うマスク、及びマスクの内側に突出して形成された噛み板を有する。すなわち、上記消音マスクは、装着者に噛み板を噛ませることにより、装着者の歯ぎしりを防止するものである。
【０００４】
しかしながら、引用文献１に記載の消音マスクは、マスクの内側に突出した噛み板を設けたものである。よって、そのような形状から、その製造は、高コストを要する。
【特許文献１】特開昭６１−７９４５６号公報
【発明の開示】
【発明が解決しようとする課題】
【０００５】
そこで、本発明は、上記問題に鑑みてなされたものであって、製造コストを抑えた歯ぎしり防止具を提供することを目的とする。
【課題を解決するための手段】
【０００６】
本発明の一態様に係る歯ぎしり防止具は、装着者の歯ぎしりを防止する歯ぎしり防止具であって、前記装着者の口に咥えられる棒状の基部と、前記基部を前記装着者の口元に保持する保持部とを備え、前記基部は、ロール状に巻かれたシート部材を有することを特徴とする。
【発明の効果】
【０００７】
本発明は、製造コストを抑えた歯ぎしり防止具を提供することができる。
【発明を実施するための最良の形態】
【０００８】
以下、図面を参照して、本発明に係る歯ぎしり防止具の実施形態について説明する。
【０００９】
［第１実施形態］
（第１実施形態に係る歯ぎしり防止具の構成）
先ず、図１〜図３を参照して、本発明の第１実施形態に係る歯ぎしり防止具の構成について説明する。
【００１０】
図１は、本発明の第１実施形態に係る歯ぎしり防止具の概略図を示す。図１に示すように、第１実施形態に係る歯ぎしり防止具は、略棒状の基部１１、及び耳掛け１２を有する。基部１１は、装着者の口に咥えられる部分である。耳掛け１２は、基部１１を装着者Ｈの口元に保持する保持部として機能する。耳掛け１２は、基部１１の両端に設けられている。
【００１１】
図２は、基部１１の概略斜視図である。図２に示すように、基部１１は、シート部材１３を備える。基部１１の側部は、ロール状に巻かれたシート部材１３にて構成されている。シート部材１３は、例えば、不織布、ゴム等にて構成されている。その他、シート部材１３は、所定の外力に対して変形する材料であればよい。
【００１２】
図３は、シート部材１３の展開図である。図３に示すように、シート部材１３は、「凸の字」型に構成されている。シート部材１３は、矩形状の第１矩形部１３１、及び第２矩形部１３２を有する。第１矩形部１３１は、展開時に、巻かれる方向と直交する方向に第１の幅Ｌ１を有する。第２矩形部１３２は、展開時に巻かれる方向と直交する方向に第２の幅Ｌ２（Ｌ２＞Ｌ１）を有し、第１矩形部１３１の一端側に設けられている。第２矩形部１３２には、耳掛け１２が取り付けられる。
【００１３】
耳掛け１２は、具体的に、装着者の耳に掛けるためのものである。耳掛け１２は、シート部材１３の第２矩形部１３２に、縫い合わせ、熱処理等によって取り付けられている。耳掛け１２は、ループ状に構成されている。耳掛け１２は、例えば、伸縮可能な材料、例えば、不織布、ゴムにて構成されている。
【００１４】
（第１実施形態に係る歯ぎしり防止具の使用方法）
次に、図４を参照して、第１実施形態に係る歯ぎしり防止具の使用方法について説明する。図４は、第１実施形態に係る歯ぎしり防止具の使用状態を示す図である。図４に示すように使用時において、装着者Ｈは、耳掛け１２を耳に掛けることにより、基部１１を口元に保持する。そして、装着者Ｈは、基部１１を咥えた状態で眠る。
【００１５】
（第１実施形態に係る歯ぎしり防止具の効果）
次に、第１実施形態に係る歯ぎしり防止具の効果について説明する。以上のように、第１実施形態に係る歯ぎしり防止具を使用すれば、装着者Ｈは、睡眠時に基部１１を噛むことによって、歯ぎしりを防止することができる。ここで、基部１１の側部は、シート部材１３をロール状に巻いて構成されているので、基部１１は、外力に対して変形する。したがって、装着者Ｈは、基部１１を噛むことにより、その歯を痛めることはない。
【００１６】
そして、上記のように歯ぎしり防止具は、簡略な構成を有する。したがって、第１実施形態に係る歯ぎしり防止具は、コストを抑えて製造可能である。
【００１７】
［第２実施形態］
（第２実施形態に係る歯ぎしり防止具の構成）
次に、図５及び図６を参照して、本発明の第２実施形態に係る歯ぎしり防止具の構成について説明する。図５は、第２実施形態に係る歯ぎしり防止具の基部１１ａを示す概略斜視図であり、図６は、基部１１ａの展開図である。なお、第２実施形態において、第１実施形態と同様の構成については、同一符号を付し、その説明を省略する。
【００１８】
第２実施形態に係る歯ぎしり防止具は、図５及び図６に示すように、第１実施形態と異なる基部１１ａを有する。基部１１ａは、シート部材１３に加えて、芯部１４を有する。芯部１４は、シート部材１３を巻き付けるためのものである。芯部１４は、棒状（円柱状）の形状を有する。芯部１４は、紙、木、金属、プラスチック等で構成されている。
【００１９】
（第２実施形態に係る歯ぎしり防止具の効果）
次に、第２実施形態に係る歯ぎしり防止具の効果について説明する。第２実施形態に係る歯ぎしり防止具は、第１実施形態と略同様の構成を有する。したがって、第２実施形態に係る歯ぎしり防止具は、第１実施形態と同様の効果を奏する。
【００２０】
さらに、第２実施形態に係る歯ぎしり防止具は、第１実施形態と異なり、芯部１４を有する。したがって、第２実施形態に係る歯ぎしり防止具は、芯部１４にシート部材１３を巻き付けることによって、第１実施形態よりも容易に基部１１ａを製造可能である。
【００２１】
［第３実施形態］
（第３実施形態に係る歯ぎしり防止具の構成）
次に、図７及び図８を参照して、本発明の第３実施形態に係る歯ぎしり防止具の構成について説明する。図７は、第３実施形態に係る歯ぎしり防止具の基部１１ｂを示す概略斜視図であり、図８は、基部１１ｂの展開図である。なお、第３実施形態において、第１及び第２実施形態と同様の構成については、同一符号を付し、その説明を省略する。
【００２２】
第３実施形態に係る歯ぎしり防止具は、図７及び図８に示すように、第１及び第２実施形態と異なる基部１１ｂを有する。基部１１ｂは、シート部材１３に加えて、芯部１４ａ、１４ｂを有する。芯部１４ａ、１４ｂは、シート部材１３を巻き付けるためのものである。芯部１４ａ、１４ｂは、紙、木、金属、プラスチック等で構成されている。
【００２３】
（第３実施形態に係る歯ぎしり防止具の効果）
次に、第３実施形態に係る歯ぎしり防止具の効果について説明する。第３実施形態に係る歯ぎしり防止具は、第２実施形態と略同様の構成を有する。したがって、第３実施形態に係る歯ぎしり防止具は、第２実施形態と同様の効果を奏する。
【００２４】
［第４実施形態］
（第４実施形態に係る歯ぎしり防止具の構成）
次に、図９及び図１０を参照して、本発明の第４実施形態に係る歯ぎしり防止具の構成について説明する。図９は、第４実施形態に係る歯ぎしり防止具を示す斜視図であり、図１０は、第４実施形態に係る歯ぎしり防止具を分解した状態を示す斜視図である。なお、第４実施形態において、第１〜第３実施形態と同様の構成については、同一符号を付し、その説明を省略する。
【００２５】
第４実施形態に係る歯ぎしり防止具は、図９及び図１０に示すように、第１〜第３実施形態と異なる基部１１ｃを有する。基部１１ｃは、第１〜第３実施形態と異なるシート部材１３ａ、及び芯部１４ｃを有する。基部１１ｃの側部は、ロール状に巻かれたシート部材１３ａにて構成されている。また、第１〜第３実施形態と異なり、耳掛け１２は、芯部１４ｃの両端に設けられている。
【００２６】
シート部材１３ａは、矩形状に構成されている。シート部材１３ａの長手方向の一端側には、凸面テープ１３３が設けられている。
【００２７】
芯部１４ｃは、シート部材１３ａを巻き付けるためのものである。芯部１４ｃは、棒状（円柱状）の形状を有する。芯部１４ｃは、棒状（円柱状）の芯部本体１４１、及びリング状のリング部１４２を有する。芯部本体１４１の側面は、凸面テープ１３３を取り付け可能な材料にて構成されており、その側面にはシート部材１３ａの凸面テープ１３３が取り付けられる。リング部１４２は、芯部本体１４１の両端に設けられている。このリング部１４２の穴を通して、耳掛け１２が設けられている。
【００２８】
（第４実施形態に係る歯ぎしり防止具の効果）
次に、第４実施形態に係る歯ぎしり防止具の効果について説明する。第４実施形態に係る歯ぎしり防止具は、第２実施形態と略同様の構成を有する。したがって、第４実施形態に係る歯ぎしり防止具は、第２実施形態と同様の効果を奏する。
【００２９】
また、第４実施形態に係る歯ぎしり防止具は、第１〜第３実施形態と異なり、シート部材１３ａを容易に取り替えることができる。したがって、第４実施形態に係る歯ぎしり防止具は、シート部材１３ａを取り替えることで、低コストで長期に亘って使用することができる。
【００３０】
［第５実施形態］
（第５実施形態に係る歯ぎしり防止具の構成）
次に、図１１を参照して、本発明の第５実施形態に係る歯ぎしり防止具の構成について説明する。図１１は、第５実施形態に係る歯ぎしり防止具を分解した状態を示す斜視図である。なお、第５実施形態において、第１〜第４実施形態と同様の構成については、同一符号を付し、その説明を省略する。
【００３１】
第５実施形態に係る歯ぎしり防止具は、図１１に示すように、第１〜第４実施形態と異なる基部１１ｄを有する。基部１１ｄは、第１〜第３実施形態と異なるシート部材１３ｂ、及び芯部１４ｄを有する。基部１１ｄの側部は、ロール状に巻かれたシート部材１３ｂにて構成されている。
【００３２】
シート部材１３ｂは、第４実施形態と同様に、矩形状に構成されている。一方、シート部材１３ｂは、第４実施形態と異なり、その長手方向の一端にて貫通するように形成されたスリット１３４を有する。
【００３３】
芯部１４ｄは、芯部本体１４１、リング部１４２、及び突出部１４３を有する。突出部１４３は、芯部本体１４１の側面に設けられ、芯部本体１４１の側面に対して直交方向に突出して設けられている。突出部１４３は、シート部材１３ｂのスリット１３４に引っ掛けられる。これにより、シート部材１３ｂは、芯部１４ｄに取り付けられる。
【００３４】
（第５実施形態に係る歯ぎしり防止具の効果）
次に、第５実施形態に係る歯ぎしり防止具の効果について説明する。第５実施形態に係る歯ぎしり防止具は、第４実施形態と略同様の構成を有する。したがって、第５実施形態に係る歯ぎしり防止具は、第４実施形態と同様の効果を奏する。
【００３５】
［第６実施形態］
（第６実施形態に係る歯ぎしり防止具の構成）
次に、図１２を参照して、本発明の第６実施形態に係る歯ぎしり防止具の構成について説明する。図１２は、第６実施形態に係る歯ぎしり防止具を示す斜視図である。なお、第６実施形態において、第１〜第５実施形態と同様の構成については、同一符号を付し、その説明を省略する。
【００３６】
第６実施形態に係る歯ぎしり防止具は、図１２に示すように、第４実施形態と略同様の構成を有する。第６実施形態に係る歯ぎしり防止具は、第４実施形態にかかる耳掛け１２の代わりに、紐１２Ａ、及びストッパー１２Ｂを有する。
【００３７】
紐１２Ａは、基部１１ｃを装着者Ｈの口元に保持する保持部として機能する。紐１２Ａは、装着者の後頭部にまわすためのものである。紐１２Ａは、基部１１ｃの両端に設けられている。紐１２Ａは、基部１１ｃのリング部１５３を通して設けられている。
【００３８】
ストッパー１２Ｂは、その内部に２本の紐１２Ａを通し、紐１２Ａの所定位置にて固定する機能を有する。これら紐１２Ａ及びストッパー１２Ｂにて、基部１１ｃは、装着者の口元に保持される。
【００３９】
（第６実施形態に係る歯ぎしり防止具の効果）
次に、第６実施形態に係る歯ぎしり防止具の効果について説明する。第６実施形態に係る歯ぎしり防止具は、第４実施形態と略同様の構成を有する。したがって、第６実施形態に係る歯ぎしり防止具は、第４実施形態と同様の効果を奏する。
【００４０】
［第７実施形態］
（第７実施形態に係る歯ぎしり防止具の構成）
次に、図１３を参照して、本発明の第７実施形態に係る歯ぎしり防止具の構成について説明する。図１３は、第７実施形態に係る歯ぎしり防止具の分解した状態を示す斜視図である。なお、第７実施形態において、第１〜第６実施形態と同様の構成については、同一符号を付し、その説明を省略する。
【００４１】
第７実施形態に係る歯ぎしり防止具は、図１３に示すように、第１〜第６実施形態と異なる基部１１ｅを有する。基部１１ｅは、シート部材１３ａ、芯部１４ｅ、１４ｆを有する。
【００４２】
芯部１４ｅは、棒状（円柱状）の芯部本体１４１ｅ、リング状の第１リング部１４２ｅ、第２リング部１４３ｅを有する。芯部本体１４１ｅの側面は、シート部材１３ａの凸面テープ１３３を取り付け可能な材料にて構成されており、その側面にはシート部材１３ａの凸面テープ１３３が取り付けられる。第１リング部１４２ｅは、芯部本体１４１ｅの一端に設けられている。第２リング部１４３ｅは、芯部本体１４１ｅの他端に設けられている。
【００４３】
同様に、芯部１４ｆは、棒状の芯部本体１４１ｆ、リング状の第１リング部１４２ｆ、及び第２リング部１４３ｆを有する。芯部本体１４１ｆは、シート部材１３ａの凸面テープ１３３を取り付け可能な材料にて構成されており、その側面にはシート部材１３ａの凸面テープ１３３が取り付けられる。第１リング部１４２ｆは、芯部本体１４１ｆの一端に設けられている。第２リング部１４３ｆは、芯部本体１４１ｆの他端に設けられている。
【００４４】
上記の基部１１ｅの構成において、各第１リング部１４２ｅ、第１リング部１４２ｆを通すように、耳掛け紐１２が設けられている。また、第２リング部１４３ｅ、第２リング部１４３ｆは、互いに連結されている。
【００４５】
（第７実施形態に係る歯ぎしり防止具の効果）
次に、第７実施形態に係る歯ぎしり防止具の効果について説明する。第７実施形態に係る歯ぎしり防止具は、第４〜第６実施形態と略同様の構成を有する。したがって、第７実施形態に係る歯ぎしり防止具は、第４〜第６実施形態と同様の効果を奏する。
【００４６】
［第８実施形態］
（第８実施形態に係る歯ぎしり防止具の構成）
次に、図１４を参照して、本発明の第８実施形態に係る歯ぎしり防止具の構成について説明する。図１４は、第８実施形態に係る歯ぎしり防止具を示す斜視図である。なお、第８実施形態において、第１〜第７実施形態と同様の構成については、同一符号を付し、その説明を省略する。
【００４７】
第８実施形態に係る歯ぎしり防止具は、図１４に示すように、基部１１ｆ、及びマスク部３０を有する。
【００４８】
基部１１ｆは、第２〜第７実施形態と異なる芯部１４ｇを有する。芯部１４ｇは、筒状に構成されている。
【００４９】
マスク部３０は、基部１１ｆを装着者の口元に保持する保持部として機能する。マスク部３０は、基部１１ｆ及び装着者の口元を覆うものである。マスク部３０は、マスク本体３１、紐３２、及び耳掛け３３を有する。
【００５０】
マスク本体３１は、その裏面に、基部１１ｆを取り付けられている。マスク本体３１は、通気性及び伸縮性の高い不織布で構成されている。紐３２の両端は、芯部１４ｄの空洞を通してマスク本体３１の内側に取り付けられている。耳掛け３３は、マスク本体３１の左右両側に設けられている。耳掛け３３は、装着者の耳に掛けるためにループ状に形成されている。
【００５１】
（第８実施形態に係る歯ぎしり防止具の使用方法）
次に、図１５を参照して、第８実施形態に係る歯ぎしり防止具の使用方法について説明する。図１５は、第８実施形態に係る歯ぎしり防止具の使用状態を示す図である。図１５に示すように使用時において、装着者Ｈは、マスク部本体３１にて口元を覆い、マスク部３０の耳掛け３３を耳に掛けることにより、基部１１ｆを口元に保持する。そして、装着者Ｈは、基部１１ｆを咥えた状態で眠る。
【００５２】
（第８実施形態に係る歯ぎしり防止具の効果）
次に、第８実施形態に係る歯ぎしり防止具の効果について説明する。第８実施形態に係る歯ぎしり防止具は、第４実施形態と略同様の構成を有する。したがって、第８実施形態に係る歯ぎしり防止具は、第４実施形態と同様の効果を奏する。
【００５３】
また、上記のように第８実施形態に係る歯ぎしり防止具を使用すれば、装着者Ｈの口元は、マスク部３０にて覆われる。これにより、装着者Ｈは、歯ぎしり防止具ではなく、通常のマスクを着用しているように見られる。つまり、第８実施形態に係る歯ぎしり防止具は、装着者Ｈの周囲の者に与える視覚的な違和感を抑制することができる。また、第８実施形態に係る歯ぎしり防止具は、マスク部３０を有するので、装着者Ｈの喉の渇きを抑制することができる。
【００５４】
［第９実施形態］
（第９実施形態に係る歯ぎしり防止具の構成）
次に、図１６を参照して、本発明の第９実施形態に係る歯ぎしり防止具の構成について説明する。図１６は、第９実施形態に係る歯ぎしり防止具を示す斜視図である。なお、第９実施形態において、第１〜第８実施形態と同様の構成については、同一符号を付し、その説明を省略する。
【００５５】
第９実施形態に係る歯ぎしり防止具は、図１６に示すように、基部１１ｆ、耳掛け１２、及びマスク部３０ａを有する。
【００５６】
耳掛け１２は、基部１１ｆの空洞を通るように設けられている。
【００５７】
マスク部３０ａは、第８実施形態と同様にマスク本体３１、及び耳掛け３３を有する。さらに、マスク部３０ａは、ループ状のループ部３４を有する。ループ部３４は、マスク本体３１の左右両側に設けられている。ループ部３４には、耳掛け１２が通される。
【００５８】
（第９実施形態に係る歯ぎしり防止具の効果）
次に、第９実施形態に係る歯ぎしり防止具の効果について説明する。第９実施形態に係る歯ぎしり防止具は、第８実施形態と略同様の構成を有する。したがって、第９実施形態に係る歯ぎしり防止具は、第８実施形態と同様の効果を奏する。
【００５９】
さらに、第９実施形態に係る歯ぎしり防止具は、基部１１ｆからマスク部３０ａを取り外す事が可能である。したがって、第９実施形態に係る歯ぎしり防止具によれば、マスク部３０ａを取り替えることによって、歯ぎしり防止具を低コストで長期に亘って使用することができる。
【００６０】
［第１０実施形態］
（第１０実施形態に係る歯ぎしり防止具の構成）
次に、図１７を参照して、本発明の第１０実施形態に係る歯ぎしり防止具の構成について説明する。図１７は、第１０実施形態に係る歯ぎしり防止具を示す斜視図である。なお、第１０実施形態において、第１〜第９実施形態と同様の構成については、同一符号を付し、その説明を省略する。
【００６１】
第１０実施形態に係る歯ぎしり防止具は、図１７に示すように、基部１１ｃ、及びマスク部３０ｂを有する。
【００６２】
マスク部３０ｂは、マスク本体３１、耳掛け３３、及び紐３５を有する。紐３５の両端は、基部１１ｃのリング部１４２を通してマスク本体３１に取り付けられている。例えば、紐３５の一端は、マスク本体３１の右下端に取り付けられ、紐３５の他端は、マスク本体３１の右上端に取り付けられている。また、紐３５の一端は、マスク本体３１の左下端に取り付けられ、紐３５の他端は、マスク本体３１の左上端に取り付けられている。
【００６３】
（第１０実施形態に係る歯ぎしり防止具の効果）
次に、第１０実施形態に係る歯ぎしり防止具の効果について説明する。第１０実施形態に係る歯ぎしり防止具は、第８実施形態と略同様の構成を有する。したがって、第１０実施形態に係る歯ぎしり防止具は、第８実施形態と同様の効果を奏する。
【００６４】
さらに、第１０実施形態に係る歯ぎしり防止具は、紐３５を介し、マスク部３０ｂに対して基部１１ｃを上下に移動させることができる。したがって、第１０実施形態に係る歯ぎしり防止部は、第８実施形態よりも、装着者の顔にあわせて、基部１１ｃを移動させることができる。
【００６５】
［他の実施形態］
以上、発明の実施形態を説明したが、本発明はこれらに限定されるものではなく、発明の趣旨を逸脱しない範囲内において種々の変更、追加、置換等が可能である。例えば、本発明の第６実施形態に係る歯ぎしり防止具は、ストッパー１２Ｂを省略した構成であってもよい。また、例えば、第３及び第７実施形態において、芯部は、３つ以上であってもよい。
【００６６】
また、歯ぎしり防止具は、図１８に示す基部１１ｇを有する構成であってもよい。基部１１ｇは、上記実施形態と異なる芯部１４ｈを有する。芯部１４ｈは、棒状（円筒状）であって、その両端は、テーパー状（先細りした形状）に形成されている。
【００６７】
また、歯ぎしり防止具は、図１９に示す基部１１ｈを有する構成であってもよい。基部１１ｈは、上記実施形態と異なる芯部１４ｉを有する。芯部１４ｉは、棒状（板状）であって、その両端は、テーパー状（先細りした形状）に形成されている。
【図面の簡単な説明】
【００６８】
【図１】本発明の第１実施形態に係る歯ぎしり防止具の斜視図である。
【図２】第１実施形態に係る歯ぎしり防止具の基部１１の斜視図である。
【図３】図２の基部１１の展開図である。
【図４】第１実施形態に係る歯ぎしり防止具の使用状態を示す図である。
【図５】本発明の第２実施形態に係る歯ぎしり防止具の基部１１ａの斜視図である。
【図６】図５の基部１１ａの展開図である。
【図７】本発明の第３実施形態に係る歯ぎしり防止具の基部１１ｂの斜視図である。
【図８】図７の基部１１ｂの展開図である。
【図９】本発明の第４実施形態に係る歯ぎしり防止具の斜視図である。
【図１０】第４実施形態に係る歯ぎしり防止具の分解斜視図である。
【図１１】本発明の第５実施形態に係る歯ぎしり防止具の分解斜視図である。
【図１２】本発明の第６実施形態に係る歯ぎしり防止具の斜視図である。
【図１３】本発明の第７実施形態に係る歯ぎしり防止具の分解斜視図である。
【図１４】本発明の第８実施形態に係る歯ぎしり防止具を示す斜視図である。
【図１５】第８実施形態に係る歯ぎしり防止具の使用状態を示す図である。
【図１６】本発明の第９実施形態に係る歯ぎしり防止具を示す斜視図である。
【図１７】本発明の第１０実施形態に係る歯ぎしり防止具を示す斜視図である。
【図１８】本発明の他の実施形態に係る歯ぎしり防止具を示す斜視図である。
【図１９】本発明の他の実施形態に係る歯ぎしり防止具を示す斜視図である。
【符号の説明】
【００６９】
１１、１１ａ〜１１ｈ…基部、１３、１３ａ、１３ｂ…シート部材、１４、１４ａ〜１４ｉ…芯部、１２…耳掛け、１２Ａ…紐、１２Ｂ…ストッパー、３０、３０ａ、３０ｂ…マスク部。
【図１】
0004589982.tif 000002
【図２】
0004589982.tif 000003
【図３】
0004589982.tif 000004
【図４】
0004589982.tif 000005
【図５】
0004589982.tif 000006
【図６】
0004589982.tif 000007
【図７】
0004589982.tif 000008
【図８】
0004589982.tif 000009
【図９】
0004589982.tif 000010
【図１０】
0004589982.tif 000011
【図１１】
0004589982.tif 000012
【図１２】
0004589982.tif 000013
【図１３】
0004589982.tif 000014
【図１４】
0004589982.tif 000015
【図１５】
0004589982.tif 000016
【図１６】
0004589982.tif 000017
【図１７】
0004589982.tif 000018
【図１８】
0004589982.tif 000019
【図１９】
0004589982.tif 000020